(57)【要約】      （修正有）【課題】  接着膜テープが巻き回された供給リールをケース内に収容してその取り扱いを容易にできる接着膜テープ収納用カセットを提供する。【解決手段】  接着膜テープ収納用カセット１０は、供給リール１２を収容するケース１１と、供給リール１２を回転自在に支持する回転支持機構２０と、供給リール１２の回転を停止させる回り止め機構３０と、ＡＣＦテープ５１の端部を固定するクランプ機構４０とを備えている。回転支持機構２０は、外部装置であるＡＣＦ貼付装置の駆動軸に着脱自在に連結される回転軸２１を有している。回転軸２１の背面部２１ａには、駆動軸５５の先端部に形成された直線状の突起部５５ａに嵌り合う直線状の溝部２２が形成されている。直線状の溝部２２は、駆動軸５５と回転軸２１とが軸方向に直交する方向に相対的に移動している状態で駆動軸５５の直線状の突起部５５ａを受け入れることができるよう、その両端が開放している。【選択図】  図１
2006096543.tif 000002
【特許請求の範囲】
【請求項１】
接着膜テープが巻き回された供給リールを収容するケースと、
前記ケース内にて前記供給リールを回転自在に支持する回転支持機構と、
前記回転支持機構により支持された前記供給リールの回転を停止させる回り止め機構とを備え、
前記回転支持機構は、外部装置の駆動軸に着脱自在に連結される回転軸を有し、この回転軸には、前記駆動軸の先端部に形成された駆動軸側嵌合部に嵌り合う回転軸側嵌合部が形成され、この回転軸側嵌合部は、前記駆動軸と前記回転軸とが軸方向に直交する方向に相対的に移動している状態で前記駆動軸側嵌合部に嵌り合うように構成されており、
前記回り止め機構は、前記回転支持機構により支持された前記供給リールの回転を停止させたときに、前記回転軸側嵌合部の向きが前記駆動軸側嵌合部の向きに合うように構成されていることを特徴とする接着膜テープ収納用カセット。
【請求項２】
前記駆動軸側嵌合部は直線状の突起部からなり、前記回転軸側嵌合部は直線状の溝部からなり、前記回転軸側嵌合部としての前記直線状の溝部は、前記駆動軸と前記回転軸とが軸方向に直交する方向に相対的に移動している状態で前記駆動軸側嵌合部としての前記直線状の突起部を受け入れるよう、その両端が開放していることを特徴とする、請求項１に記載の接着膜テープ収納用カセット。
【請求項３】
前記回転支持機構は、前記回転軸に前記供給リールを着脱自在に装着するための装着機構をさらに有することを特徴とする、請求項１又は２に記載の接着膜テープ収納用カセット。
【請求項４】
前記回り止め機構は、前記回転支持機構の前記回転軸の側面に形成された孔に嵌り合う回り止めピンと、この回り止めピンを前記回転軸の前記孔へ向けて付勢する付勢機構とを有することを特徴とする、請求項１乃至３のいずれか一項に記載の接着膜テープ収納用カセット。
【請求項５】
前記ケースは、当該ケースを前記外部装置に位置決めするための位置決め部を有することを特徴とする、請求項１乃至４のいずれか一項に記載の接着膜テープ収納用カセット。
【請求項６】
前記ケースは、前記位置決め部によって前記外部装置に立設状態で位置決めされることを特徴とする、請求項５に記載の接着膜テープ収納用カセット。
【請求項７】
前記回転支持機構により支持された前記供給リールから繰り出された接着膜テープの端部を固定するクランプ機構をさらに備えたことを特徴とする、請求項１乃至６のいずれか一項に記載の接着膜テープ収納用カセット。
【請求項８】
前記接着膜テープは、異方性導電膜テープであることを特徴とする、請求項１乃至７のいずれか一項に記載の接着膜テープ収納用カセット。
【発明の詳細な説明】
【技術分野】
【０００１】
本発明は、パネル基板や電子部品等の接着対象部材上に異方性導電膜（ＡＣＦ）等の接着膜を貼り付ける接着膜貼付装置に係り、とりわけ、テープ状の接着膜を含む接着膜テープが巻き回された供給リールが装着された接着膜テープ収納用カセットに関する。
【背景技術】
【０００２】
従来から、この種の接着膜貼付装置として、異方性導電膜（ＡＣＦ）テープが巻き回された供給リールと、この供給リールから巻き出されたＡＣＦテープを巻き取る回収リールとを備え、これらの供給リールと回収リールとの間で搬送されるＡＣＦテープからＡＣＦの一部を切り出してパネル基板や電子部品等の接着対象部材上に貼り付けるＡＣＦ貼付装置が知られている（特許文献１参照）。
【０００３】
このような従来のＡＣＦ貼付装置において、ＡＣＦテープが巻き回された供給リールは、巻き出し用の駆動モータの駆動軸に直接取り付けられ、駆動モータによる供給リールの回転に伴って供給リールからＡＣＦテープが巻き出されるようになっている。
【０００４】
具体的には、図５に示すように、収納部１２ａにＡＣＦテープ５１が巻き回されて収納された供給リール１２は、駆動モータ６１のシャフト６２に固定された駆動軸６３のねじ部６８に挿入され、次いで、この駆動軸６３のねじ部６８に対して、内面にねじ部６９ａを有する取り付けナット６９がねじ込まれる。これにより、供給リール１２が駆動軸６３に対して固定され、駆動モータ６１による供給リール１２の回転に伴って供給リール１２からＡＣＦテープ５１が巻き出される。なお、図５に示すように、駆動モータ６１は支持体６５上に固定されている。また、駆動モータ６１と駆動軸６３との間に位置するシャフト６２は、支持体６６に取り付けられた軸受け６７により回転自在に支持されている。
【０００５】
しかしながら、図５に示すような態様で供給リール１２が固定される場合には、ＡＣＦ貼付装置において供給リール１２を交換する際に、取り付けナット６９の取り外し、使用済みの供給リール１２の取り外し、駆動軸６３（ねじ部６８）に対する新たな供給リール１２の取り付け、駆動軸６３（ねじ部６８）に対する取り付けナット６９の取り付け及び締め付けという、複数の作業が必要になる。このような作業は自動的に行うことが困難であり、人手により手間と時間とをかけて行う必要があった。
【特許文献１】特開２００３−５１５１７号公報
【発明の開示】
【発明が解決しようとする課題】
【０００６】
本発明はこのような点を考慮してなされたものであり、接着膜テープが巻き回された供給リールをケース内に収容してその取り扱いを容易にするとともに、外部装置である接着膜貼付装置における供給リールの自動交換を容易に実現することができる接着膜テープ収納用カセットを提供することを目的とする。
【課題を解決するための手段】
【０００７】
本発明は、接着膜テープが巻き回された供給リールを収容するケースと、前記ケース内にて前記供給リールを回転自在に支持する回転支持機構と、前記回転支持機構により支持された前記供給リールの回転を停止させる回り止め機構とを備え、前記回転支持機構は、外部装置の駆動軸に着脱自在に連結される回転軸を有し、この回転軸には、前記駆動軸の先端部に形成された駆動軸側嵌合部に嵌り合う回転軸側嵌合部が形成され、この回転軸側嵌合部は、前記駆動軸と前記回転軸とが軸方向に直交する方向に相対的に移動している状態で前記駆動軸側嵌合部に嵌り合うように構成されており、前記回り止め機構は、前記回転支持機構により支持された前記供給リールの回転を停止させたときに、前記回転軸側嵌合部の向きが前記駆動軸側嵌合部の向きに合うように構成されていることを特徴とする接着膜テープ収納用カセットを提供する。
【０００８】
なお、本発明において、前記駆動軸側嵌合部は直線状の突起部からなり、前記回転軸側嵌合部は直線状の溝部からなり、前記回転軸側嵌合部としての前記直線状の溝部は、前記駆動軸と前記回転軸とが軸方向に直交する方向に相対的に移動している状態で前記駆動軸側嵌合部としての前記直線状の突起部を受け入れるよう、その両端が開放していることが好ましい。
【０００９】
また、本発明において、前記回転支持機構は、前記回転軸に前記供給リールを着脱自在に装着するための装着機構をさらに有することが好ましい。
【００１０】
さらに、本発明において、前記回り止め機構は、前記回転支持機構の前記回転軸の側面に形成された孔に嵌り合う回り止めピンと、この回り止めピンを前記回転軸の前記孔へ向けて付勢する付勢機構とを有することが好ましい。
【００１１】
さらに、本発明において、前記ケースは、当該ケースを前記外部装置に位置決めするための位置決め部を有することが好ましい。ここで、前記ケースは、前記位置決め部によって前記外部装置に立設状態で位置決めされることが好ましい。
【００１２】
さらに、本発明においては、前記回転支持機構により支持された前記供給リールから繰り出された接着膜テープの端部を固定するクランプ機構をさらに備えることが好ましい。
【００１３】
なお、本発明において、前記接着膜テープは、異方性導電膜テープであることが好ましい。
【発明の効果】
【００１４】
本発明によれば、接着膜テープが巻き回された供給リールをケース内に収容するとともに、ケース内にて供給リールを回転自在に支持する回転支持機構の回転軸が、外部装置である接着膜貼付装置の駆動軸に着脱自在に連結されるように構成しているので、供給リールの取り扱いを容易にするとともに、外部装置である接着膜貼付装置における供給リールの自動交換を容易に実現することができる。
【００１５】
また、本発明によれば、外部装置である接着膜貼付装置の駆動軸に着脱自在に連結される回転支持機構の回転軸に、駆動軸と回転軸とが軸方向に直交する方向に相対的に移動している状態で駆動軸側嵌合部に嵌り合う回転軸側嵌合部を設けているので、駆動軸と回転軸との連結を容易に行うことができる。また、回り止め機構により、回転軸側嵌合部の向きが駆動軸側嵌合部の向きに合うような状態で供給リールの回転を停止させることができるので、駆動軸と回転軸との連結をより容易に行うことができる。
【発明を実施するための形態】
【００１６】
以下、図面を参照して本発明の実施の形態について説明する。
【００１７】
まず、図１乃至図４により、本発明の一実施の形態に係る接着膜テープ収納用カセットの構成について説明する。ここで、図１は接着膜テープ収納用カセット示す平面図、図２は図１に示す接着膜テープ収納用カセットのII−II線に沿った断面図、図３は図１に示す接着膜テープ収納用カセットのIII方向から見た側面図、図４は図１に示す接着膜テープ収納用カセットのIV−IV線に沿った断面図である。
【００１８】
図１乃至図４に示すように、本実施の形態に係る接着膜テープ収納用カセット１０は、テープ状の剥離紙上にテープ状の接着膜である異方性導電膜（ＡＣＦ）が形成されたＡＣＦテープ５１を収納するためのものであり、ＡＣＦテープ５１が巻き回された供給リール１２を収容するケース１１と、ケース１１内にて供給リール１２を回転自在に支持する回転支持機構２０と、回転支持機構２０により支持された供給リール１２の回転を停止させる回り止め機構３０と、回転支持機構２０により支持された供給リール１２から繰り出されたＡＣＦテープ５１の端部を固定するクランプ機構４０とを備えている。なお、ケース１１内に収容される供給リール１２は、ＡＣＦテープ５１が巻き回されて収納される収納部１２ａを有している。
【００１９】
このうち、ケース１１は、供給リール１２の大きさに対応する大きさを持つ略矩形状の壁部１１ａと、壁部１１ａの外周部に形成された縁部１１ｂとを有している。ここで、ケース１１の縁部１１ｂのうちケース１１の下部に位置する部分には、位置決め孔３８が形成された２つの隆起部１１ｃが形成されている。なお、ケース１１の隆起部１１ｃに形成された位置決め孔３８は、外部装置であるＡＣＦ貼付装置（図示せず）に接着膜テープ収納用カセット１０を位置決めするためのものである。すなわち、位置決め孔３８は、ＡＣＦ貼付装置（図示せず）に設けられた位置決めピン（図示せず）を受け入れるように構成されており、位置決め孔３８に位置決めピン（図示せず）が嵌り合うことにより、ケース１１がＡＣＦ貼付装置（図示せず）に立設状態で位置決めされるようになっている。また、ケース１１の縁部１１ｂのうちケース１１の上部に位置する部分には、カセット交換装置（図示せず）等に設けられた支持ピンを受け入れる支持孔１３が形成されている。さらに、ケース１１の縁部１１ｂのうちケース１１の側部に位置する部分には、クランプ機構４０を設けるための開口部１１ｄが形成されている。
【００２０】
回転支持機構２０は、ケース１１の壁部１１ａを背面側から前面側へ貫くように設けられており、外部装置であるＡＣＦ貼付装置（図示せず）の駆動軸（図２及び図４の符号５５参照）に着脱自在に連結される回転軸２１を有している。なお、回転軸２１は、軸受け２４，２５を介してケース１１の壁部１１ａに取り付けられており、ケース１１の壁部１１ａに対して回転自在に支持されている。また、回転軸２１は、外部装置であるＡＣＦ貼付装置（図示せず）の駆動軸（図２及び図４の符号５５参照）側に位置する背面部２１ａと、供給リール１２側に位置する前面部２１ｂとからなり、これらの背面部２１ａ及び前面部２１ｂがボルト２３を介して互いに堅固に固定されている。
【００２１】
ここで、回転軸２１を回転させる駆動機構は図５に示す従来のものとほぼ同様の構成を備えているが、駆動軸の先端部にねじ部が設けられていない点、及び、取り付けナットが取り付けられない点で異なっている。具体的には、回転軸２１を回転させる駆動機構は、図２及び図４に示すように、その先端部に直線状の突起部（駆動軸側嵌合部）５５ａが形成された駆動軸５５を備えている。
【００２２】
そして、このような駆動機構を前提として、回転軸２１の背面部２１ａには、図１、図２及び図４に詳細に示されているように、駆動軸５５の先端部に形成された直線状の突起部５５ａに嵌り合う直線状の溝部（回転軸側嵌合部）２２が形成されている。ここで、直線状の溝部２２は、駆動軸５５と回転軸２１とが軸方向に直交する方向（例えば図２の矢印の方向参照）に相対的に移動している状態で駆動軸５５の直線状の突起部５５ａを受け入れることができるよう、その両端が開放している。
【００２３】
また、回転軸２１の前面部２１ｂには、供給リール１２を着脱自在に装着するための装着機構２６が設けられている。装着機構２６は、ボルト２７と、ボルト２７の両側に配置された一対の爪２８と、これらの爪２８を外側に付勢するばね２９とを有しており、ばね２９の作用により付勢された爪２８が供給リール１２の中心孔１２ｂに嵌り合うことにより、供給リール１２がケース１１に装着されるようになっている。
【００２４】
回り止め機構３０は、ケース１１の壁部１１ａの背面側に配置されており、回転支持機構２０の回転軸２１の側面に形成された孔２１ｃに嵌り合う回り止めピン３１と、回り止めピン３１を支持する回り止めアーム３２とを有している。このうち、回り止めアーム３２は、支軸３３を中心として揺動するようケース１１の壁部１１ａの背面側に取り付けられている。また、回り止めアーム３２には、ばね３７の一端が取り付けられるばね係止部３５が設けられている。ここで、ばね３７の他端は、ケース１１の壁部１１ａの背面側に設けられたばね係止部３６に取り付けられており、ばね３７の作用により、回り止めピン３１が回転軸２１の孔２１ｃへ向けて付勢されるようになっている。そして、ばね３７の作用により付勢された回り止めピン３１が回転軸２１の孔２１ｃに嵌り合うと、供給リール１２を支持する回転軸２１の回転が停止する。ここで、このようにして回転が停止した回転軸２１は所定の向き（すなわち、回転軸２１の背面部２１ａに形成された直線状の溝部２２が上下方向に延びるような向き）になっている。なお、回り止めアーム３２、支軸３３、ばね係止部３５，３６及びばね３７により付勢機構が構成されている。
【００２５】
クランプ機構４０は、クランプ本体４１と、クランプ本体４１を支持するクランプアーム４２とを有している。このうち、クランプアーム４２は、支軸４３を中心として揺動するようケース１１の壁部１１ａの背面側に取り付けられている。また、クランプアーム４２には、ばね４６の一端が取り付けられるばね係止部４４が設けられている。ここで、ばね４６の他端は、ケース１１の壁部１１ａの背面側に設けられたばね係止部４５に取り付けられており、ばね４６の作用により、クランプ本体４１がクランプ用当接部４７へ向けて付勢されるようになっている。なお、クランプ用当接部４７は、ケース１１の壁部１１ａの前面側に取り付けられている。また、ケース１１の壁部１１ａの前面側には、支軸４９を中心として回転する繰り出し用ローラ４８が設けられており、供給リール１２から繰り出されたＡＣＦテープ５１を繰り出し用ローラ４８及びクランプ用当接部４７を介してケース１１の外部まで導くことができるようになっている。なお、このようにして導かれたＡＣＦテープ５１の端部は、ばね４６の作用により付勢されたクランプ本体４１とクランプ用当接部４７との間で挟持されるようになっている。
【００２６】
なお、回り止め機構３０の回り止めアーム３２及びクランプ機構４０のクランプアーム４２にはそれぞれ、回り止めアーム３２及びクランプアーム４２を外部機構としてのカセット解放機構（図示せず）により駆動するための駆動用突起部３９，５０が設けられている。
【００２７】
次に、このような構成からなる接着膜テープ収納用カセット１０の使用方法について説明する。
【００２８】
まず、最初の状態として、接着膜テープ収納用カセット１０には、供給リール１２が装着されていないものとする。
【００２９】
この状態で、接着膜テープ収納用カセット１０に装着されるべき供給リール１２として、収納部１２ａにＡＣＦテープ５１が巻き回されて収納された供給リール１２を準備し、ケース１１の壁部１１ａの前面側に位置付ける。
【００３０】
次に、回転支持機構２０の回転軸２１の前面部２１ｂと供給リール１２の中心孔１２ｂとを位置決めし、供給リール１２の中心孔１２ｂを回転軸２１の前面部２１ｂに設けられた装着機構２６へ向けて押し込む。すると、供給リール１２の中心孔１２ｂが装着機構２６を通過する過程で、ばね２９の作用に抗して爪２８が一旦内側に引き寄せられた後、供給リール１２の中心孔１２ｂが装着機構２６を通過した時点で、爪２８が外側に付勢される。これにより、ばね２９の作用により付勢された爪２８が供給リール１２の中心孔１２ｂに嵌り合い、供給リール１２がケース１１に装着される。
【００３１】
その後、供給リール１２からＡＣＦテープ５１の端部を繰り出し、クランプ機構４０により固定する。具体的には、供給リール１２から繰り出されたＡＣＦテープ５１を繰り出し用ローラ４８及びクランプ用当接部４７の順に導き、クランプ用当接部４７からＡＣＦテープ５１が一定の長さだけ外部に飛び出した状態で、当該ＡＣＦテープ５１の端部を、ばね４６の作用により付勢されたクランプ本体４１とクランプ用当接部４７との間で挟持する。
【００３２】
また、供給リール１２から繰り出されたＡＣＦテープ５１の端部を固定した後、回り止め機構３０により、回転支持機構２０により支持された供給リール１２の回転を停止させる。具体的には、回転支持機構２０の回り止めピン３１を、回転支持機構２０の回転軸２１の側面に形成された孔２１ｃに位置付け、ばね３７の作用により、回り止めアーム３２を介して付勢された回り止めピン３１が回転軸２１の孔２１ｃに嵌り合うようにする。これにより、供給リール１２を支持する回転軸２１の回転が停止する。なお、このようにして回転が停止した回転軸２１は所定の向き（すなわち、回転軸２１の背面部２１ａに形成された直線状の溝部２２が上下方向に延びるような向き）になっている。
【００３３】
その後、このような状態の接着膜テープ収納用カセット１０を上方から下方に向かって移動させ、外部装置であるＡＣＦ貼付装置（図示せず）に設けられた位置決めピン（図示せず）が、ケース１１の下部に形成された位置決め孔３８に嵌り合うようにして、ケース１１をＡＣＦ貼付装置（図示せず）に立設状態で位置決めする。
【００３４】
なおこのとき、ＡＣＦ貼付装置（図示せず）の駆動軸５５の先端部に形成された直線状の突起部５５ａは、上方から下方に向かって移動する接着膜テープ収納用カセット１０の回転支持機構２０の回転軸２１の背面部２１ａに形成された溝部２２を横切るような位置に配置されており、接着膜テープ収納用カセット１０をＡＣＦ貼付装置（図示せず）に位置決めする過程で、ＡＣＦ貼付装置（図示せず）の駆動軸５５と回転支持機構２０の回転軸２１との間の連結も行われる。
【００３５】
このようにしてＡＣＦ貼付装置（図示せず）の駆動軸５５と接着膜テープ収納用カセット１０の回転支持機構２０の回転軸２１とが連結されると、ＡＣＦ貼付装置（図示せず）が稼働され、駆動軸５５が回転する。ここで、駆動軸５５の回転は駆動軸５５の突起部５５ａに嵌り合う溝部２２を介して回転支持機構２０の回転軸２１に伝えられ、軸受け２４，２５により支持された回転軸２１が回転する。これにより、回転軸２１の前面部２１ｂに装着された供給リール１２が回転され、供給リール１２の収納部１２ａに巻き回されて収納されたＡＣＦテープ５１が巻き出される。
【００３６】
なお、以上のようにして供給リール１２からＡＣＦテープ５１が巻き出される際には、外部機構としてのカセット解放機構（図示せず）により、回り止め機構３０の回り止めアーム３２に設けられた駆動用突起部３９、及び、クランプ機構４０のクランプアーム４２に設けられた駆動用突起部５０が駆動される。これにより、回り止め機構３０においては、ばね３７の作用に抗して回り止めアーム３２が外側に移動することにより回り止めピン３１が回転軸２１の孔２１ｃから取り外され、これによって、供給リール１２を支持する回転軸２１が自由に回転することができるようになる。また、クランプ機構４０においても、ばね４６の作用に抗してクランプアーム４２が外側に移動することによりクランプ本体４１がクランプ用当接部４７から引き離され、これによって、クランプ本体４１とクランプ用当接部４７との間をＡＣＦテープ５１が自由に通過することができるようになる。
【００３７】
このように本実施の形態によれば、ＡＣＦテープ５１が巻き回された供給リール１２をケース１１内に収容するとともに、ケース１１内にて供給リール１２を回転自在に支持する回転支持機構２０の回転軸２１が、外部装置であるＡＣＦ貼付装置（図示せず）の駆動軸５５に着脱自在に連結されるように構成しているので、供給リール１２の取り扱いを容易にするとともに、外部装置であるＡＣＦ貼付装置（図示せず）における供給リール１２の自動交換を容易に実現することができる。
【００３８】
また、本実施の形態によれば、外部装置であるＡＣＦ貼付装置（図示せず）の駆動軸５５に着脱自在に連結される回転支持機構２０の回転軸２１の背面部２１ａに、駆動軸５５の先端部に形成された直線状の突起部５５ａに嵌り合う直線状の溝部２２を形成し、かつ、直線状の溝部２２の両端を開放させるようにしているので、駆動軸５５と回転軸２１とが軸方向に直交する方向（例えば図２の矢印の方向参照）に相対的に移動している状態で駆動軸５５の直線状の突起部５５ａに嵌り合うことが可能となり、駆動軸５５と回転軸２１との連結を容易に行うことができる。また、回り止め機構３０により、回転軸２１の背面部２１ａに形成された直線状の溝部２２の向きが駆動軸５５に形成された直線状の突起部５５ａの向きに合うような状態で供給リール１２の回転を停止させることができるので、駆動軸５５と回転軸２１との連結をより容易に行うことができる。
【００３９】
なお、上述した実施の形態においては、回り止め機構３０により回転を停止させた回転軸２１の直線状の溝部２２の向きを上下方向に延びるような向きとしているが、このような停止状態での回転軸２１の直線状の溝部２２の向きは、駆動軸５５と回転軸２１とを連結する際の駆動軸５５の直線状の突起部５５ａの向きに合わせて決められるものであり、適宜任意の向き（例えば、左右方向に延びるような向き）とすることができる。
【００４０】
また、上述した実施の形態においては、外部装置であるＡＣＦ貼付装置（図示せず）の駆動軸５５と接着膜テープ収納カセット１０の回転支持機構２０の回転軸２１とが互いに嵌り合うようにするため、駆動軸５５の先端部に直線状の突起部５５ａを形成し、回転軸２１の背面部２１ａに直線状の溝部２２を形成するようにしているが、これに限らず、駆動軸５５の先端部に直線状の溝部を形成し、回転軸２１の背面部２１ａに直線状の突起部を形成するようにしてもよい。
【００４１】
さらに、上述した実施の形態においては、外部装置であるＡＣＦ貼付装置（図示せず）に接着膜テープ収納用カセット１０を位置決めするため、接着膜テープ収納カセット１０のケース１１に位置決め孔３８を形成し、ＡＣＦ貼付装置（図示せず）に位置決めピン（図示せず）を形成するようにしているが、これに限らず、ケース１１に位置決めピンを形成し、ＡＣＦ貼付装置（図示せず）に位置決め孔を形成するようにしてもよい。
【図面の簡単な説明】
【００４２】
【図１】本発明による接着膜テープ収納用カセットの一実施の形態を示す平面図。
【図２】図１に示す接着膜テープ収納用カセットのII−II線に沿った断面図。
【図３】図１に示す接着膜テープ収納用カセットのIII方向から見た側面図。
【図４】図１に示す接着膜テープ収納用カセットのIV−IV線に沿った断面図。
【図５】接着膜貼付装置で用いられる供給リールの従来の取り付け方法を説明するための概略断面図。
【符号の説明】
【００４３】
１０  接着膜テープ収納用カセット
１１  ケース
１１ａ  壁部
１１ｂ  縁部
１１ｃ  隆起部
１１ｄ  開口部
１２  供給リール
１２ａ  収納部
１２ｂ  中心孔
１３  支持孔
２０  回転支持機構
２１  回転軸
２１ａ  背面部
２１ｂ  前面部
２１ｃ  孔
２２  溝部（回転軸側嵌合部）
２３  ボルト
２４，２５  軸受け
２６  装着機構
２７  ボルト
２８  爪
２９  ばね
３０  回り止め機構
３１  回り止めピン
３２  回り止めアーム
３３  支軸
３５，３６  ばね係止部
３７  ばね
３８  位置決め孔（位置決め部）
３９  駆動用突起部
４０  クランプ機構
４１  クランプ本体
４２  クランプアーム
４３  支軸
４４，４５  ばね係止部
４６  ばね
４７  クランプ用当接部
４８  繰り出し用ローラ
４９  支軸
５０  駆動用突起部
５１  ＡＣＦテープ（異方性導電膜テープ）
５５  駆動軸
５５ａ  直線状の突起部（駆動軸側嵌合部）
６１  駆動モータ
６２  シャフト
６３  駆動軸
６５，６６  支持体
６７  軸受け
６８  ねじ部
６９  取り付けナット
６９ａ  ねじ部
【図１】
2006096543.tif 000003
【図２】
2006096543.tif 000004
【図３】
2006096543.tif 000005
【図４】
2006096543.tif 000006
【図５】
2006096543.tif 000007